(57)【特許請求の範囲】
【請求項１】
建物に設けられる換気用の貫通孔に設置される換気ユニット本体の内部にて支持部によって支持され前方が開口する収容部に収容される伸縮機構によって開閉可能となるシャッター部を備える換気ユニットであって、
前記伸縮機構は、前記収容部の軸方向と同軸方向に配置され、前記軸方向と直交する方向に重合させ、前後方向に摺動可能に組み合わさせた状態で収容される固定スライダと可動スライダと、
両者を離反する方向に付勢し、前記収容部内の底部と前記可動スライダの収容空間の内壁に両端部が当接するように設置される付勢手段とを有し、
前記固定スライダに爪部を有する係止部材を取り付け、前記可動スライダに前記爪部を案内する案内路を設けてなり、前記案内路は前方から後方を経て再び前方に至るループ状に形成され、
前記伸縮機構の最長状態にて、前記可動スライダの側面から突出して形成される突部が前記側面に対向する前記固定スライダの内側面に形成される当接面に当接することを特徴とする換気ユニット。
【請求項２】
前記突部は、前記案内路が設けられる側面に形成される請求項１に記載の換気ユニット。
【請求項３】
前記固定スライダと前記可動スライダの前記組み合わせ状態にて、前記固定スライダの側壁が前記可動スライダの側壁溝に嵌まり込んで、前記固定スライダが前記可動スライダを抱持するよう重合される請求項１又は請求項２に記載の換気ユニット。
【請求項４】
前記固定スライダは、前記収容部の係合孔に係合する係合片を有してなり、前記係合片には、前記係合孔の前方内壁と当接する当接段部が形成される請求項１から請求項３のいずれか１項に記載の換気ユニット。
【発明の詳細な説明】
【技術分野】
【０００１】
本発明は、建物内の換気を行うための換気ユニットに関するものである。
【背景技術】
【０００２】
従来より、給気装置や換気装置等の通気装置に設けられる通気路形成用の開閉蓋の開閉調整機構や、その他適宜の用途で利用される伸縮機構が公知である。例えば、当該伸縮機構は、前後方向に摺動可能に組み合わされる固定スライダと可動スライダと、両スライダを離反する方向に付勢する付勢手段を備え、固定スライダには爪部を有する係止部材を取り付け、可動スライダには前記爪部を案内する案内路を設けてあり、前記案内路は後部から前部を経て再び後部に至るループ状で、後部から前部に至る過程に略直線状部分を有しており、この略直線状部分に設けられた係止段に前記爪部が係止され、両スライダが停止した状態が維持されるようにしているものが公知である（特許文献１参照）。
【０００３】
例えば、建物の壁面に設けられる貫通孔に嵌合される換気ユニットに当該伸縮機構を採用する場合においては、可動スライダにシャッター部を取り付けることで、換気ユニット本体の開口とシャッター部との間に生じる給気口の開口領域を調整することができるものである。
【先行技術文献】
【特許文献】
【０００４】
【特許文献１】特開２０１２−０９２８９８号公報
【発明の概要】
【発明が解決しようとする課題】
【０００５】
しかしながら、特許文献１の構造では、特に伸縮機構の最長状態において、シャッター部を取り外す際等、両スライダを離反する方向に不用意な力が掛かってしまった場合、係止部材の爪部が破損してしまう虞があった。
【０００６】
また、可動スライダは、固定スライダの内部に収容されるようにして一体となって構成されるため、使用環境によって伸縮機構内に埃等が入ってしまった場合であっても、メンテナンス等を行うことが困難であり、伸縮機構の交換等を余儀なくされる虞もあった。
【０００７】
そこで、本発明はこのような問題点を解決するものであって、伸縮機構を破損しにくい構造とし、メンテナンス等を容易に行うことができる換気ユニットを提供することを課題とする。
【課題を解決するための手段】
【０００８】
前記問題点を解決するために、本発明の請求項１に記載の換気ユニットは、建物に設けられる換気用の貫通孔に設置される換気ユニット本体の内部にて支持部によって支持され前方が開口する収容部に収容される伸縮機構によって開閉可能となるシャッター部を備える換気ユニットであって、前記伸縮機構は、前記収容部の軸方向と同軸方向に配置され、前記軸方向と直交する方向に重合させ、前後方向に摺動可能に組み合わさせた状態で収容される固定スライダと可動スライダと、両者を離反する方向に付勢し、前記収容部内の底部と前記可動スライダの収容空間の内壁に両端部が当接するように設置される付勢手段とを有し、前記固定スライダに爪部を有する係止部材を取り付け、前記可動スライダに前記爪部を案内する案内路を設けてなり、前記案内路は前方から後方を経て再び前方に至るループ状に形成され、前記伸縮機構の最長状態にて、前記可動スライダの側面から突出して形成される突部が前記側面に対向する前記固定スライダの内側面に形成される当接面に当接することを特徴とするものである。
【０００９】
また、本発明の請求項２に記載の換気ユニットは、請求項１に記載の換気ユニットにおいて、前記突部は、前記案内路が設けられる側面に形成されるものである。
【００１０】
また、本発明の請求項３に記載の換気ユニットは、請求項１又は請求項２に記載の換気ユニットにおいて、前記固定スライダと前記可動スライダの前記組み合わせ状態にて、前記固定スライダの側壁が前記可動スライダの側壁溝に嵌まり込んで、前記固定スライダが前記可動スライダを抱持するよう重合されるものである。
【００１１】
また、本発明の請求項４に記載の換気ユニットは、請求項１から請求項３のいずれか１項に記載の換気ユニットにおいて、前記固定スライダは、前記収容部の係合孔に係合する係合片を有してなり、前記係合片には、前記係合孔の前方内壁と当接する当接段部が形成されるものである。
【発明の効果】
【００１３】
本発明の換気ユニットでは、伸縮機構の最長状態において、可動スライダの突部が固定スライダに当接するので、両スライダを離反する方向に負荷力が掛かる場合であっても、その力を分散して伸縮機構が破損するのを防止することができる。
【００１４】
また、固定スライダと可動スライダは、収容部の軸方向と同軸方向に夫々を配置して、当該軸方向と直交する方向に重合させた状態で収容部に収容されるため、組み立て又は分解を容易に行うことができるので、メンテナンス等を容易に行うことができる。
【図面の簡単な説明】
【００１５】
【図１】本発明の実施例における換気ユニットの伸縮機構が最長状態での断面斜視図である。
【図２】本発明の実施例における換気ユニットの分解斜視図である。
【図３】本発明の実施例における換気ユニットの伸縮機構の分解斜視図である。
【図４】本発明の実施例における換気ユニットの可動スライダの正面図である。
【図５】本発明の実施例における換気ユニットの可動スライダの図４のＡ−Ａ断面図である。
【図６】本発明の実施例における換気ユニットの可動スライダの図４のＢ−Ｂ断面図である。
【図７】本発明の実施例における換気ユニットの伸縮機構が最短状態での一部省略断面図である。
【図８】本発明の実施例における換気ユニットの伸縮機構が中段状態での一部省略断面図である。
【図９】本発明の実施例における換気ユニットの伸縮機構が最長状態での一部省略断面図である。
【図１０】本発明の実施例における換気ユニットの可動スライダと係止部材との関係を示す（ａ）最短状態での状態説明図、（ｂ）中段状態での状態説明図、（ｃ）最長状態での状態説明図である。
【発明を実施するための形態】
【００１６】
以下、本発明の実施の形態における換気ユニットを図面に基づいて説明する。当該換気ユニットは、建物の壁面に設けられる貫通孔に嵌合されるものであって、換気ユニットに取り付けられるシャッター部によって、換気ユニット本体の開口とシャッター部との間に生じる給気口の開口領域を調整することができるものである。
【００１７】
換気ユニットにおいて、室内側に露出するシャッター部側を当該換気ユニットの前方とし、建物の壁面側を当該換気ユニットの後方とする。
【実施例】
【００１８】
本発明の実施例に係る換気ユニットは、図１及び図２に示すように、主に、建物に設けられる換気用の貫通孔に設置される換気ユニット本体１０と、換気ユニット本体１０の内部に設置される収容部３０と、収容部３０に収容される伸縮機構４０と、収容部３０に掛止されるフィルター部８０と、伸縮機構４０に取り付けられるシャッター部９０とから構成される。
【００１９】
換気ユニット本体１０は、図１及び図２に示すように、建物に設けられる換気用の貫通孔に嵌合される枠体２０と、枠体２０の内部に設置される収容部３０と、収容部３０に収容される伸縮機構４０とを備えてなる。
【００２０】
枠体２０は、建物の壁面に設けられる貫通孔に嵌合されるものである。当該枠体２０は、図２に示すように、筒状体２１と、嵌合凹部２２と、鍔部２３とを備えており、例えば合成樹脂等で成形される。
【００２１】
筒状体２１は、例えば略円筒状に形成されており、当該軸方向に貫通孔２４を有してなる。そして、開口における一端部には、シャッター部９０を嵌合可能とする嵌合凹部２２が筒状体２１の外周部から外径方向に設けられる。また、嵌合凹部２２の外径方向には、鍔部２３が延設して設けられる。このとき、嵌合凹部２２は、シャッター部９０の外形に対応する形状であれば、特に制限されるものではないし、鍔部２３においても、環状、多角形状等の適宜の形状とすることができる。
【００２２】
また、筒状体２１の内周部２５には、フィルター部８０を設置する際に位置決めとなる当接片２６を設けることが望ましい。当該当接片２６は、内周部２５から内径方向に突出して設けられる。本実施例においては、２箇所の幅狭の当接片と２箇所の幅広の当接片とが夫々対向するように設けられるが、これに限られることなく、適宜の形状とすることができるのは勿論である。
【００２３】
収容部３０は、図１及び図２に示すように、枠体２０の内部に設置され、伸縮機構４０を収容するものであって、例えば合成樹脂等で成形される。より詳細には、収容部３０は、鍔部２３側における前方側の一端が開口するとともに、筒状体２１の軸方向と同軸方向に配置した状態で支持部３１によって、枠体２０における平面視の略中央部に支持される。
【００２４】
本実施例においては、収容部３０は、内周部２５の４箇所から内径方向に突出し、筒状体２１の内部にて略十字状に形成される支持部３１によって支持されるが、収容部３０の支持形態については特に制限されるものではない。
【００２５】
また、収容部３０の外周部には、フィルター部８０との掛止手段が設けられる。当該掛止手段は、換気ユニット本体１０とフィルター部８０との相対回動に伴い掛止するものである。
【００２６】
収容部３０の掛止手段は、案内溝３２とされる。当該案内溝３２は、第１案内溝３３と第２案内溝３４とから構成される。第１案内溝３３は、後述するフィルター部８０の膨出部８５を誘導するものである。また、第２案内溝３４は、当該膨出部８５を掛止して、フィルター部８０が室内側である前方側へ移動するのを規制するものである。本実施例においては、案内溝３２は収容部３０における外周部の対向する２箇所に設けられる。
【００２７】
第１案内溝３３は、収容部３０の外周部から内径方向に凹んだ状態で、収容部３０における鍔部２３側の一端から後方側へ向けて形成される。すなわち、第１案内溝３３は、換気ユニット本体１０の前後方向に形成されることとなる。このとき、第１案内溝３３の後端面と当接片２６の前端面とを略同一平面上に形成することが望ましい。これにより、フィルター部８０を安定した状態で設置することができる。
【００２８】
第２案内溝３４は、第１案内溝３３に対して掛止手段の回動方向側に位置した状態で隣接して設けられる。より詳細には、収容部３０の外周部上において、第１案内溝３３と第２案内溝３４との間に、後述する膨出部８５の略外形分が移動可能となる領域を連通させた状態で設けられる。
【００２９】
また、第２案内溝３４の前端面は、後述する膨出部８５が当接する掛止面３５とされる。当該掛止面３５は、膨出部８５が当接してフィルター部８０が前方側へ移動するのを規制するものである。更に、掛止面３５には、膨出部８５との当接面方向とされる後方側へ向けて突出する突状部３６を設けることが望ましい。
【００３０】
また、収容部３０内の底部には、後述の付勢手段７４を保持するための保持部３７が前方に向けて立設される。更に、収容部３０の側面には、後述の固定スライダ４１の係合片４６を係合させるための係合孔３８が設けられる。また、収容部３０の内部は、後述の固定スライダ４１と可動スライダ５６の外形に対応するようにして適宜の形状に形成される。
【００３１】
伸縮機構４０は、図１から図３に示すように、２つのスライダが付勢手段７４によって前後方向に進退可能となるよう構成されるものである。これにより、換気ユニット本体１０に取り付けられたシャッター部９０が開閉可能となるものである。
【００３２】
伸縮機構４０は、図２に示すように、前後方向に摺動可能に組み合わされる固定スライダ４１と可動スライダ５６と、両スライダを離反する方向に付勢する付勢手段７４とを備えてなる。両スライダは、例えば合成樹脂等で成形される。また、付勢手段７４には、バネ等が採用される。
【００３３】
固定スライダ４１は、図３に示すように、板状に形成される基部４２の長手方向の一端に前端壁４３が設けられ、他端に後端壁４４が設けられる。すなわち、固定スライダ４１は、縦断面視略コ字状に形成され、前端壁４３の内側面は後述する可動スライダ５６の突部６０が当接する当接面とされる。また、基部４２の幅方向には、両端部に側壁４５を設けることが望ましい。これにより、基部４２に対する前端壁４３及び後端壁４４の強度を向上させることができる。
【００３４】
また、基部４２の略中央部には、可撓性を有するようにして係合片４６が設けられており、係合片４６の前端壁４３側には、基部４２側に段差を介して当接段部４７が設けられる。更に、後端壁４４の近傍には、開口部４８が形成されており、当該開口部４８内の後端壁４４側へ向けて先端が入り込むようにして押さえ片４９が設けられる。
【００３５】
また、後端壁４４の孔部（図示しない）には、金属製からなる係止部材５０が設けられる。当該係止部材５０は、両端部が略直角に折曲された爪部５１、５２を有してなる。一端側の爪部５１は、後端壁４４の孔部に回動可能となるよう支持され、他端部の爪部５２は、後述の可動スライダ５６の案内路６１へと案内される。このとき、係止部材５０は、一端部における爪部５１の近傍が押さえ片４９によって支持されることで、爪部５２が側壁４５側へ押圧された状態を維持している。
【００３６】
本実施例においては、側壁４５は、前端壁４３側に形成される第１側壁５３と、後端壁４４側に形成される第２側壁５４とが連設してなる。第２側壁５４は、第１側壁５２からさらに突出するようにして形成され、後述する可動スライダ５６の側壁溝７３に嵌まり込む部分とされる。また、第２側壁５４の後方側には、収容部３０の内部にて付勢手段７４を支持する一対の支持片５５が設けられる。
【００３７】
可動スライダ５６は、図３から図６に示すように、前方側が開口する略四角柱状に形成される。当該開口は、シャッター部９０の取付部９３を挿通するための挿通口５７とされる。また、可動スライダ５６の側面には、取付部９３を嵌合させるための一対の貫通孔５８が設けられる。
【００３８】
また、可動スライダ５６の略中央部には、側面から外形方向に向けて突出する突部６０が設けられる。当該突部６０は、伸縮機構４０の最長状態にて、固定スライダ４１における前端壁４３の当接面と当接するものである。更に、突部６０の後方側には、側面から窪んだ凹状領域に前後方向に延びる案内路６１が設けられる。
【００３９】
案内路６１は、爪部５２より幅広の溝状からなり、前方から後方を経て再び前方に至るループ状のものとされ、前方から後方に延びる往路部６２及び復路部６３と、往路部６２及び復路部６３とを連結して前方側に設けられる折り返し部６４とから構成される。
【００４０】
当該往路部６２は、可動スライダ５６における幅方向の略中央部において、後方側から前方側へ延びる略直線状の第１往路部６５と、第１往路部６５から連続して緩やかに幅方向の一端側へ曲がって前方側に延びる曲線状の第２往路部６６とを有してなる。
【００４１】
また、復路部６３は、第１往路部６５の後方近傍から幅方向の他端側へ曲がって前方側に延び、折り返し部６４へと連結される。更に、折り返し部６４は、往路部６２の前方側に位置する第２往路部６６と復路部６３とを連結する。より詳細には、折り返し部６４は、幅方向の一端側から後方へ向けて屈曲し、略中央部にて前方へ向けて屈曲する略Ｍ字状に形成される。
【００４２】
また、第１往路部６５には、案内路６１の溝の深さ方向に段差を介して、適宜の個数の係止段部６７が設けられる。そして、第１往路部６５の前方端部から係止段部６７にかけては、緩やかな下り勾配となっており、係止段部６７から第１往路部６５の後方端部にかけても同様にして下り勾配が設けられる。
【００４３】
また、折り返し部６４には、段差６８、６９、７０が設けられており、復路部６３の前方端部から折り返し部６４を経由し第１往路部６５にかけては、昇り階段状となっている。更に、第１往路部６５の後方近傍と復路部６３との間には、段差７１が設けられており、第１往路部６５から復路部６３にかけて同様の昇り階段状となっている。
【００４４】
また、図５に示すように、案内路６１が形成される側面と対向する側面には、付勢手段７４を収容し得る収容空間７２が設けられる。
【００４５】
本実施例においては、案内路６１が形成される側面における幅方向の両端部に、固定スライダ４１の第２側壁５４が嵌まり込む側壁溝７３が設けられる。これにより、固定スライダ４１によって可動スライダ５６を抱持するように重合させて組み合わせることができる。
【００４６】
このようにして構成される伸縮機構４０は、固定スライダ４１と可動スライダ５６を組み合わせた状態で、固定スライダ４１に設けられる係合片４６を収容部３０の係合孔３８に係合させ、着脱可能な状態で固着させる。より詳細には、図１、図７から図９に示すように、収容部３０の保持部３７にて付勢手段７４を保持した状態で、固定スライダ４１に取り付けられる係止部材５０の爪部５２を可動スライダ５６の案内路６１に案内する。そして、収容部３０の軸方向と同軸方向に固定スライダ４１と可動スライダ５６を配置して、当該軸方向と直交する方向（図面中の左右方向）に両者を重合させるとともに、可動スライダ５６の収容空間７２に付勢手段７４を収容して、係合片４６の当接段部４７を係合孔３８の前方内壁に当接させて係合させる。
【００４７】
これにより、付勢手段７４の両端部は、収容部３０内の底部と収容空間７２の内壁に当接し、可動スライダ５６を固定スライダ４１から離反させる方向へと付勢した状態となる。すなわち、係止部材５０の爪部５２が案内路６１を進む過程において、適宜箇所と当接して係止されることで、可動スライダ５６が段階的に停止した状態を維持できるようになっている。更には、案内路６１は高低差を有するものの、幅方向への移動がほとんどないため、可動スライダ５６の押し込みによって、爪部５２に負荷力が掛かることもない。
【００４８】
また、当接段部４７が係合孔３８の前方側に当接するため、係合孔３８と固定スライダ４１との間を隙間のない状態とすることができ、埃等が入るのを防止することができる。
【００４９】
フィルター部８０は、図１及び図２に示すように、換気ユニット本体１０の前方側に着脱可能に取り付けられる。当該フィルター部８０は、環状の外形部８１と、外形部８１の内側に設けられる内形部８２とが支持部８３を介して連結されて形成される。また、支持部８３にて区画される外形部８１と内形部８２との間には、フィルター８４が夫々配設されてなる。
【００５０】
また、フィルター部８０における内形部８２の内周部には、収容部３０との掛止手段が設けられる。当該掛止手段は、換気ユニット本体１０とフィルター部８０との相対回動に伴い掛止するものである。
【００５１】
フィルター部８０の掛止手段は、膨出部８５とされる。当該膨出部８５の前端面は、第２案内溝３４の掛止面３５が当接する箇所とされる。更に、膨出部８５には、突状部３６に対応する当接部８６と嵌まり込み部８７とを設けることが望ましい。
【００５２】
より詳細には、当接部８６は、膨出部８５に対して掛止手段の回動方向側の一端部に設けられる。当該当接部８６は、突状部３６との摺動抵抗を軽減するために傾斜状とすることがより望ましい。そして、当接部８６を膨出部８５の頂部とし、後方側へ段部を介した状態で他端部へ向けて嵌まり込み部８７が設けられる。これにより、当接部８６を介して、突状部３６を嵌まり込み部８７に嵌まり込ませることによって、掛止手段のロック状態とすることができる。
【００５３】
シャッター部９０は、図１及び図２に示すように、換気ユニット本体１０に取り付けられ、伸縮機構４０によって、換気ユニット本体１０の開口とシャッター部９０との間に生じる給気口の開口領域を調整することができるものである。当該シャッター部９０は、換気ユニット本体１０の嵌合凹部２２に対応する蓋体９１に弾性部材９２が設置されており、蓋体９１から突設される取付部９３を可動スライダ５６の貫通孔５８に嵌合させることで、伸縮機構４０に連結される。
【００５４】
このようにして構成される換気ユニットは、フィルター部８０を換気ユニット本体１０に嵌め込み、フィルター部８０を例えば時計回りに回動させることによって、両者を一体化して掛止状態とすることができる。また、フィルター部８０を例えば反時計回りに回動させることによって、両者を分離状態とすることができる。
【００５５】
具体的には、図１及び図２に示すように、フィルター部８０の膨出部８５を収容部３０の第１案内溝３３に誘導させるようにして、フィルター部８０の内形部５２を収容部３０に挿通させる。そして、内形部５２を把持しながら、フィルター部８０を回動させて、第２案内溝３４の突状部３６を膨出部８５の当接部８６に対して摺動させ、これを乗り越えた状態で突状部３６が嵌まり込み部８７に到達するまで回動させる。これにより、フィルター部８０が換気ユニット本体１０に対して掛止された状態、且つ、ロック状態となる。
【００５６】
すなわち、膨出部８５が第２案内溝３４の掛止面３５又は突状部３６と当接することで、フィルター部８０が換気ユニット本体１０の前方側へ移動するのを規制することができる。更には、所定以上の力でフィルター部８０を反時計回りに回動させない限り、突状部３６と膨出部８５のロック状態が解除されない状態となる。
【００５７】
次に、シャッター部９０の開閉に関する伸縮機構４０の作動について、図７から図１０に基づいて以下に説明する。図７から図９は、収容部３０に収容される伸縮機構４０とシャッター部９０との関係を示す状態説明図である。図７は、伸縮機構４０の最短状態を示すものである。また、図８は、伸縮機構４０の中段状態を示すものである。また、図９は、伸縮機構４０の最長状態を示すものである。更に、図１０は、可動スライダ５６と係止部材５０との関係を示す状態説明図である。
【００５８】
なお、伸縮機構４０の最短状態においては、シャッター部９０は換気ユニット１０に対して閉じた状態となり、換気ユニット本体１０の開口とシャッター部９０との間には給気口の開口領域がない状態となる。また、中段状態又は最長状態においては、シャッター部９０は換気ユニット１０に対して開いた状態となり、換気ユニット本体１０の開口とシャッター部９０との間に給気口の開口領域を有した状態となる。
【００５９】
伸縮機構４０の最短状態においては、図７及び図１０（ａ）に示すように、係止部材５０の爪部５２は、案内路６１における折り返し部６４の後方の屈曲部に位置した状態となる。当該最短状態において、可動スライダ５６を後方側へ押し込んでその力を弱めると、爪部５２が段差６８を下るとともに、付勢手段７４の付勢力によって可動スライダ５６が前方側へと押し上げられる。そして、爪部５２は、復路部６３を経由して段差７１を更に下るとともに、第１往路部６５の後方端部に当接した状態となる。このとき、伸縮機構４０は、折り返し部６４の屈曲部から第１往路部６５の後方端部までの距離が伸長し、図９及び図１０（ｃ）に示す伸縮機構４０の最長状態となる。
【００６０】
当該最長状態においては、可動スライダ５６の突部６０が固定スライダ４１における前端壁４３の内側面（当接面）と当接した状態となる。これにより、シャッター部９０を取り外す際等、両スライダを離反する方向に負荷力が掛かってしまった場合であっても、係止部材５０における爪部５１、５２の係止力に加えて、突部６０と前端壁４３の内側面（当接面）が当接することによってその力を分散させることができる。
【００６１】
そして、伸縮機構４０の最長状態において、可動スライダ５６を後方側へ押し込んでその力を弱めると、爪部５２が係止段部６７を下るとともに、付勢手段７４の付勢力によって可動スライダ５６が前方側へと押し上げられ、爪部５２が係止段部６７に前方から当接した状態となる。このとき、伸縮機構４０は、第１往路部６５の後方端部から係止段部６７までの距離が縮んで、図８及び図１０（ｂ）に示す伸縮機構４０の中段状態となる。
【００６２】
そして、伸縮機構４０の中段状態において、可動スライダ５６を後方側へ押し込んでその力を弱めると、爪部５２が第２往路部６６を経由して段差７０を下るとともに、折り返し部６４の段差６９を更に下り、付勢手段７４の付勢力によって可動スライダ５６が前方側へと押し上げられ、爪部５２が折り返し部６４の後方の屈曲部に再度位置した状態となる。これにより、図７及び図１０（ａ）に示す伸縮機構４０の最短状態へと戻すことができる。
【００６３】
以上、説明した本発明に係る換気ユニットによれば、伸縮機構４０の最長状態において、シャッター部９０を取り外す際等、両スライダを離反する方向に負荷力が掛かってしまった場合であっても、突部６０と前端壁４３の内側面（当接面）が当接するので、その力を当接面相互にて分散させることができる。これにより、爪部５１、５２が破損するのを防止することができる。
【００６４】
また、伸縮機構４０は、固定スライダ４１と可動スライダ５６とがユニット化されることなく、収容部３０の軸方向と同軸方向に夫々を配置して、当該軸方向と直交する方向に重合させた状態で収容部３０に収容されるため、容易に組み立てることができるし、係合片４６の係合を解除することにより、伸縮機構４０を容易に分解することができる。これにより、メンテナンス等を容易に行うことができる。
【００６５】
また、このような構成の伸縮機構４０は、収容部３０に対してクリアランスが少ない状態で設置することができるので、品質向上にもつながる。更には、筒状体２１の内部に支持部３１を介して収容部３０を支持し、収容部３０内に伸縮機構４０を収容するとともに、収容部３０にフィルター部８０を掛止するので、部品点数、コストを削減することができる。
【００６６】
また、上述した実施例において、固定スライダ４１、可動スライダ５６の形状、寸法、材質等を適宜変更して実施することが可能である。例えば、突部６０においては、案内路６１が設けられる側面に形成することでコンパクト化を図ることができるが、案内路６１が形成される側面と異なる側面に形成されるものであってもよい。このとき、当接する前端壁４３の内側面は、これに対応するよう形成されていればよい趣旨である。
【００６７】
更に、一部構成を省略することができるし、一部抽出した構成とすることができるのは勿論である。
【符号の説明】
【００６８】
１０      換気ユニット本体
３０      収容部
４０      伸縮機構
４１      固定スライダ
４６      係合片
４７      当接段部
５０      係止部材
５１、５２  爪部
５６      可動スライダ
６０      突部
６１      案内路
【要約】      （修正有）【課題】伸縮機構を破損しにくい構造とし、メンテナンス等を容易に行うことができる換気ユニットを提供する。【解決手段】建物に設けられる換気用の貫通孔に設置される換気ユニット本体の収容部３０に収容される伸縮機構４０によって開閉可能となるシャッター部９０を備える換気ユニットであって、前記伸縮機構４０は、前後方向に摺動可能に組み合わされる固定スライダ４１と可動スライダ５６と、両者を離反する方向に付勢し、前記収容部３０内に設置される付勢手段７４とを有し、前記固定スライダ４１に爪部を有する係止部材５０を取り付け、前記可動スライダ５６に前記爪部を案内する案内路を設けてなり、前記案内路は前方から後方を経て再び前方に至るループ状に形成され、前記伸縮機構４０の最長状態にて、前記可動スライダ５６の突部が前記固定スライダ４１に当接することを特徴とする換気ユニット。【選択図】図２【図１】
0005622136.tif 000002
【図２】
0005622136.tif 000003
【図３】
0005622136.tif 000004
【図４】
0005622136.tif 000005
【図５】
0005622136.tif 000006
【図６】
0005622136.tif 000007
【図７】
0005622136.tif 000008
【図８】
0005622136.tif 000009
【図９】
0005622136.tif 000010
【図１０】
0005622136.tif 000011